(57)【特許請求の範囲】
【請求項１】
被検体に対して放射線を照射する放射線管と、
該放射線管によって照射される放射線の基準照射条件であって、前記被検体における所要の基準幅及び所要の基準体厚のうちの少なくとも一方を想定して設定され、なおかつ被検体における前記放射線の吸収度合を考慮して設定された基準照射条件を記憶する記憶装置と、
前記被検体の幅及び体厚のうち少なくとも一方を検出する光学式センサと、
該光学式センサによって検出された前記被検体の幅と前記基準幅との差異及び前記光学式センサによって検出された前記被検体の体厚と前記基準体厚との差異の少なくとも一方に応じて前記基準照射条件を補正して、撮影時において前記放射線管によって照射される放射線の照射条件を設定する照射条件設定部と、
を備えることを特徴とする放射線断層撮影システム。
【請求項２】
前記基準照射条件は、被検体の部位ごとに記憶されていることを特徴とする請求項１に記載の放射線断層撮影システム。
【請求項３】
前記基準照射条件は、前記放射線管のビュー角度ごとに記憶されていることを特徴とする請求項１又は２に記載の放射線断層撮影システム。
【請求項４】
前記照射条件設定部は、前記放射線管のビュー角度に応じて、前記被検体の幅と前記基準幅との差異又は前記被検体の体厚と前記基準体厚との差異のいずれか一方を用いて前記基準照射条件の補正を行なうことを特徴とする請求項３に記載の放射線断層撮影システム。
【請求項５】
前記照射条件設定部は、前記幅及び前記体厚の少なくとも一方が大きくなるほど、放射線の線量が大きくなるように前記基準照射条件を補正し、前記幅及び前記体厚の少なくとも一方が小さくなるほど、放射線の線量が小さくなるように前記基準照射条件を補正することを特徴とする請求項１〜４のいずれか一項に記載の放射線断層撮影システム。
【請求項６】
前記光学式センサは、光学式撮影装置及び距離センサであることを特徴とする請求項１〜５のいずれか一項に記載の放射線断層撮影システム。
【請求項７】
前記照射条件設定部によって設定された放射線の照射条件を表示する表示装置を備えることを特徴とする請求項１〜６のいずれか一項に記載の放射線断層撮影システム。
【請求項８】
被検体に対して放射線を照射する放射線管と、
該放射線管によって照射される放射線の基準照射条件であって、前記被検体における所要の基準幅及び所要の基準体厚のうちの少なくとも一方を想定して設定され、なおかつ被検体における前記放射線の吸収度合を考慮して設定された基準照射条件を記憶する記憶装置と、
前記被検体の幅及び体厚のうち少なくとも一方を検出する光学式センサと、
プロセッサーと、
を備えることを特徴とし、
前記プロセッサーは、前記光学式センサによって検出された前記被検体の幅と前記基準幅との差異及び前記光学式センサによって検出された前記被検体の体厚と前記基準体厚との差異の少なくとも一方に応じて前記基準照射条件を補正して、撮影時において前記放射線管によって照射される放射線の照射条件を設定する照射条件設定機能をプログラムによって実行する
ことを特徴とする放射線断層撮影システム。
【請求項９】
被検体に対して放射線を照射する放射線管と、
該放射線管によって照射される放射線の基準照射条件であって、前記被検体における所要の基準幅及び所要の基準体厚のうちの少なくとも一方を想定して設定され、なおかつ被検体における前記放射線の吸収度合を考慮して設定された基準照射条件を記憶する記憶装置と、
前記被検体の幅及び体厚のうち少なくとも一方を検出する光学式センサと、
プロセッサーと、
を備える放射線断層撮影システムの制御プログラムであって、
前記プロセッサーに、前記光学式センサによって検出された前記被検体の幅と前記基準幅との差異及び前記光学式センサによって検出された前記被検体の体厚と前記基準体厚との差異の少なくとも一方に応じて前記基準照射条件を補正して、撮影時において前記放射線管によって照射される放射線の照射条件を設定する照射条件設定機能を実行させる
ことを特徴とする放射線断層撮影システムの制御プログラム。
【発明の詳細な説明】
【技術分野】
【０００１】
本発明は、被検体の幅及び体厚の少なくとも一方に基づいて、被検体に対する放射線の照射条件を設定する放射線断層撮影システム及びその制御プログラムに関する。
【背景技術】
【０００２】
放射線断層撮影装置が有する機能の一つとして自動露出機構がある。自動露出機構は、事前に取得した被検体の放射線吸収量の分布を示すデータ（ｄａｔａ）を基に、被検体に照射する放射線の出力を、放射線吸収量が多い場所はより大きく、放射線吸収量が少ない場所はより小さくなるように自動で制御する。
【０００３】
自動露出機構についてもう少し詳しく説明する。先ず、被検体に対して低線量な放射線を照射する予備的なスキャン（ｓｃａｎ）、すなわちスカウト（ｓｃｏｕｔ）スキャンを行う。次いで、このスカウトスキャンで得られた投影データから、被検体の体軸方向における各位置について、投影データのプロファイル（ｐｒｏｆｉｌｅ）面積や被検体の体軸断面を楕円近似したときの楕円率、放射線の減衰率などを求める。そして、これらの面積、楕円率及び減衰率などの情報に基づいて、再構成画像におけるノイズ量が一定になるように、被検体の体軸方向における位置ごとに、照射する放射線の出力、例えば放射線管の管電流値を設定する（特許文献１参照）。そして、設定された出力で本スキャンが行われる。
【先行技術文献】
【特許文献】
【０００４】
【特許文献１】特開２００１−０４３９９３号公報
【発明の概要】
【発明が解決しようとする課題】
【０００５】
しかし、上述のように本スキャンとは別にスカウトスキャンを行なう必要があることから、よりスループットの改善が求められている。特に、スカウトスキャンは、被検体の真上と真横において二度行なわれる。すなわち、０°の位置の放射線管から放射線を照射しながら、被検体が載置されたテーブルを動かして一度目のスカウトスキャンを行なった後に、テーブルを元の位置に戻し、９０°の位置の放射線管から放射線を照射しながら、被検体が載置されたテーブルを再度動かして二度目のスカウトスキャンを行なう。従って、よりスループットの改善が求められている。
【０００６】
また、スカウトスキャンを行なう分だけ、被検体の放射線被曝量が増加する。このような事情から、スカウトスキャンを行なうことなく、自動露出機構における放射線の照射条件を設定することが求められている。ただし、スカウトスキャンを行なわない場合においても、スカウトスキャンを行なった場合と同程度に適切な放射線の照射条件、すなわち再構成画像におけるノイズ量が所要のノイズ量になる放射線の照射条件を設定することが求められる。
【課題を解決するための手段】
【０００７】
上述の課題を解決するためになされた発明は、被検体に対して放射線を照射する放射線管と、この放射線管によって照射される放射線の基準照射条件であって、前記被検体における所要の基準幅及び所要の基準体厚のうちの少なくとも一方を想定して設定され、なおかつ被検体における前記放射線の吸収度合を考慮して設定された基準照射条件を記憶する記憶装置と、前記被検体の幅及び体厚のうち少なくとも一方を検出する光学式センサと、この光学式センサによって検出された前記被検体の幅と前記基準幅との差異及び前記光学式センサによって検出された前記被検体の体厚と前記基準体厚との差異の少なくとも一方に応じて前記基準照射条件を補正して、撮影時において前記放射線管によって照射される放射線の照射条件を設定する照射条件設定部と、を備えることを特徴とする放射線断層撮影システムである。
【発明の効果】
【０００８】
上記観点の発明によれば、前記光学式センサによって検出された前記被検体の幅と前記基準幅との差異及び前記光学式センサによって検出された前記被検体の体厚と前記基準体厚との差異の少なくとも一方に応じて前記基準照射条件が補正され、撮影時における放射線の照射条件が設定される。前記基準照射条件は、被検体の幅や体厚の要素に加えて、これら以外の要素も反映した放射線の吸収度合を考慮して設定されたものである。このような基準照射条件が、前記光学式センサによって検出された前記被検体の幅と前記基準幅との差異及び前記光学式センサによって検出された前記被検体の体厚と前記基準体厚との差異の少なくとも一方に応じて補正されるので、スカウトスキャンを行なわなくても、スカウトスキャンを行なった場合と同程度に適切な放射線の照射条件を設定することができる。
【図面の簡単な説明】
【０００９】
【図１】実施形態に係るＸ線ＣＴシステムのハードウェアの構成を概略的に示す図である。
【図２】撮影室の概略の一例を示す図である。
【図３】図１に示すＸ線ＣＴシステムの操作コンソールの機能ブロック図である。
【図４】実施形態に係るＸ線ＣＴシステムの処理の流れを示すフローチャートである。
【図５】記憶装置に記憶されたテーブルを示す図である。
【図６】第一実施形態における管電流の変化を示す線図及び被検体を示すイラストを示す図である。
【図７】ビュー角度と、被検体の幅及び体厚との関係を説明する図である。
【図８】第二実施形態における管電流の変化を示す線図及び被検体を示すイラストを示す図である。
【図９】撮影室の概略の他例を示す図である。
【発明を実施するための形態】
【００１０】
以下、本発明の実施形態について説明する。
（第一実施形態）
先ず、第一実施形態について説明する。図１には、本発明における放射線断層撮影システムの実施の形態の一例であるＸ線ＣＴシステム１が示されている。この図１に示すように、Ｘ線ＣＴシステム１は、ガントリ（ｇａｎｔｒｙ）２、撮影テーブル（ｉｍａｇｉｎｇ  ｔａｂｌｅ）４、及び操作コンソール（ｃｏｎｓｏｌｅ）６を備えている。
【００１１】
ガントリ２及び撮影テーブル４は、図２に示すように撮影室Ｒに設置されている。操作コンソール６は、撮影室Ｒとは異なる操作室（図示省略）に設置されている。
【００１２】
ちなみに、図２において、符号Ｆは撮影室Ｒの床を示し、符号Ｃは撮影室Ｒの天井を示している。
【００１３】
図１に戻り、ガントリ２は、Ｘ線管２１、アパーチャ（ａｐｅｒｔｕｒｅ）２２、コリメータ装置（ｃｏｌｉｍａｔｏｒ  ｄｅｖｉｃｅ）２３、Ｘ線検出器２４、データ収集部２５、回転部２６、高電圧電源２７、アパーチャ駆動装置２８、回転駆動装置２９、及びガントリ・テーブル制御部３０、カメラ３１及び距離センサ３２を有している。
【００１４】
回転部２６は、ガントリ２の開口部２Ｂの周りに回転可能に支持されている。Ｘ線管２１、アパーチャ２２、コリメータ装置２３、Ｘ線検出器２４、データ収集部２５は、回転部２６に搭載されている。
【００１５】
Ｘ線管２１及びＸ線検出器２４は、開口部２Ｂを挟み対向して配置されている。Ｘ線管２１は、本発明における放射線管の実施の形態の一例である。
【００１６】
アパーチャ２２は、Ｘ線管２１と開口部２Ｂとの間に配置されている。Ｘ線管２１のＸ線焦点からＸ線検出器２４に向けて放射されるＸ線をファンビーム（ｆａｎ  ｂｅａｍ）やコーンビーム（ｃｏｎｅ  ｂｅａｍ）に成形する。
【００１７】
コリメータ装置２３は、開口部２ＢとＸ線検出器２４との間に配置されている。コリメータ装置２３は、Ｘ線検出器２４に入射する散乱線を除去する。
【００１８】
Ｘ線検出器２４は、Ｘ線管２１から放射される扇状のＸ線ビームの広がり方向（チャネル（ｃｈａｎｎｅｌ）方向という）および厚み方向（列方向という）に、２次元的に配列された複数のＸ線検出素子を有している。各Ｘ線検出素子は、開口部２Ｂに配された被検体５の透過Ｘ線をそれぞれ検出し、その強度に応じた電気信号を出力する。
【００１９】
データ収集部２５は、Ｘ線検出器２４の各Ｘ線検出素子から出力される電気信号を受信し、Ｘ線データに変換して収集する。
【００２０】
撮影テーブル４は、クレードル（ｃｒａｄｌｅ）４１、クレードル駆動装置４２を有している。被検体５は、クレードル４１の上に載置される。クレードル駆動装置４２は、クレードル４１をガントリ２の開口部２Ｂすなわち撮影空間に入れ出しする。
【００２１】
高電圧電源２７は、Ｘ線管２１に高電圧及び電流を供給する。
【００２２】
アパーチャ駆動装置２８は、アパーチャ２２を駆動しその開口を変形させる。
【００２３】
回転駆動装置２９は、回転部２６を回転駆動する。
【００２４】
ガントリ・テーブル制御部３０は、ガントリ２における各装置・各部、撮影テーブル４等を制御する。
【００２５】
カメラ３１及び距離センサ３２は、ガントリ２０の上部に取り付けられている。カメラ３１は、可視光線を検出する光学式撮影装置であり、撮影テーブル４のクレードル４１上に載置された被検体５の画像を取得する。また、距離センサ３２は、例えば赤外線を照射する照射部（図示省略）と、この照射部から照射されて反射した赤外線を検出する検出部（図示省略）とを有する。距離センサ３２により、この距離センサ３２と赤外線の反射体との距離が検出される。ちなみに、カメラ３１の画像信号及び距離センサ３２の検出信号は、ガントリ・テーブル制御部３０を介して操作コンソール６の演算処理装置６４へ入力される。
【００２６】
カメラ３１によって取得される画像により、被検体５の幅が検出される。また、距離センサ３２の検出信号により、被検体５の体厚が検出される。詳細は後述する。カメラ３１及び距離センサ３２は、本発明における光学式センサの実施の形態の一例である。
【００２７】
操作コンソール６は、操作者からの各種操作を受け付ける。操作コンソール６は、入力装置６１、表示装置６２、記憶装置６３、及び演算処理装置６４を有している。本例では、操作コンソール６は、コンピュータ（ｃｏｍｐｕｔｅｒ）により構成されている。
【００２８】
入力装置６１は、操作者からの指示や情報の入力を受け付けるボタン及びキーボード（ｋｅｙｂｏａｒｄ）などを含み、さらにポインティングデバイス（ｐｏｉｎｔｉｎｇ  ｄｅｖｉｃｅ）などを含んで構成されている。表示装置６２は、ＬＣＤ（Ｌｉｑｕｉｄ  Ｃｒｙｓｔａｌ  Ｄｉｓｐｌａｙ）や有機ＥＬ（Ｅｌｅｃｔｒｏ−Ｌｕｍｉｎｅｓｃｅｎｃｅ）ディスプレイなどである。表示装置６２は、本発明における表示装置の実施の形態の一例である。
【００２９】
記憶装置６３は、ＨＤＤ（Ｈａｒｄ  Ｄｉｓｋ  Ｄｒｉｖｅ：ハードディスクドライブ）や、ＲＡＭ（Ｒａｎｄｏｍ  Ａｃｃｅｓｓ  Ｍｅｍｏｒｙ）やＲＯＭ（Ｒｅａｄ  Ｏｎｌｙ  Ｍｅｍｏｒｙ）等の半導体メモリ（Ｍｅｍｏｒｙ）などである。操作コンソール６は、記憶装置６３として、ＨＤＤ、ＲＡＭ及びＲＯＭの全てを有していてもよい。また、記憶装置６３は、ＣＤ（Ｃｏｍｐａｃｔ  Ｄｉｓｋ）やＤＶＤ（Ｄｉｇｉｔａｌ  Ｖｅｒｓａｔｉｌｅ  Ｄｉｓｋ）などの可搬性の記憶媒体を含んでいてもよい。記憶装置６３は、本発明における記憶装置の実施の形態の一例である。
【００３０】
演算処理装置６４は、ＣＰＵ（ｃｅｎｔｒａｌ  ｐｒｏｃｅｓｓｉｎｇ  ｕｎｉｔ）などのプロセッサーである。
【００３１】
なお、ここでは、図１に示すように、被検体５の体軸方向、すなわち撮影テーブル４による被検体５の搬送方向をｚ方向とする。また、鉛直方向をｙ方向、ｙ方向およびｚ方向に直交する水平方向をｘ方向とする。
【００３２】
操作コンソール６は、図３に示すように、機能ブロックとして、スキャン制御部７１、画像再構成部７２、スキャンプロトコル設定部７３、幅特定部７４、体厚特定部７５、照射条件設定部７６及び表示制御部７７を有する。演算処理装置６４は、所定のプログラム（ｐｒｏｇｒａｍ）により、上述のスキャン制御部７１、画像再構成部７２、スキャンプロトコル設定部７３、幅特定部７４、体厚特定部７５、照射条件設定部７６及び表示制御部７７の機能を実行させる。所定のプログラムは、例えば、記憶装置６３を構成するＨＤＤやＲＯＭなどの非一過性の記憶媒体に記憶されている。また、プログラムは、記憶装置６３を構成するＣＤやＤＶＤなどの可搬性を有し非一過性の記憶媒体に記憶されていてもよい。
【００３３】
スキャン制御部７１は、操作者の操作に応じて、スキャンが実施されるようガントリ・テーブル制御部３０を制御する。
【００３４】
画像再構成部７２は、Ｘ線管２１から照射されたＸ線によって被検体５をスキャンして得られた投影データに基づいて画像再構成処理を行ない、断層像データを得る。
【００３５】
スキャンプロトコル設定部７３は、前記スキャンの実施に用いるキャンプロトコルを設定する。
【００３６】
幅特定部７４は、カメラ３１によって取得される画像に基づいて、被検体５の幅Ｗを特定する。幅Ｗは、ｘ軸方向における被検体５の大きさである。幅Ｗは、体軸方向の複数箇所において特定されてもよい。
【００３７】
体厚特定部７５は、距離センサ３２の検出信号に基づいて、被検体５の体厚Ｄを特定する。体厚Ｄは、ｙ軸方向における被検体５の大きさである。体厚Ｄは、幅Ｗが特定される部分において特定される。体厚Ｄは、体軸方向の複数箇所において特定されてもよい。
【００３８】
照射条件設定部７６は、撮影時において前記Ｘ線管２１によって照射されるＸ線の照射条件を設定する。例えば、照射条件設定部７６は、撮影時（スキャン時）の管電流を設定する。詳細は後述する。照射条件設定部７６は、本発明における照射条件設定部の実施の形態の一例である。また、照射条件設定部７６による機能は、本発明における照射条件設定機能の実施の形態の一例である。
【００３９】
表示制御部７５は、断層像を含む各種の画像やテキスト（ｔｅｘｔ）を、表示装置６２に表示させる。
【００４０】
次に、本実施形態に係るＸ線ＣＴシステムにおける処理の流れについて、図４のフローチャートに基づいて説明する。ここでは、Ｘ線によるスキャンが行われるまでの処理を説明する。
【００４１】
先ず、ステップＳ１では、操作者は撮影プロトコルを選択する。撮影プロトコルは、例えば入力装置６１において入力される。
【００４２】
次に、ステップＳ２では、照射条件設定部７６が、基準照射条件等を読み出す。具体的に説明する。基準照射条件は、標準的な体型の被検体に対してＸ線管２１によってＸ線を照射する場合における照射条件である。基準照射条件は、標準的な体型、すなわち被検体における所要の基準幅及び所要の基準体厚を想定して設定され、なおかつ被検体におけるＸ線の吸収度合を考慮して設定されている。基準照射条件は、標準的な体型である被検体の再構成画像のノイズレベルが、所要のノイズ指標値が表すレベルになるように設定された照射条件である。基準照射条件は、被検体の部位ごとに、記憶装置６３に記憶されている。基準照射条件は、再構成画像のノイズレベルが各部位において一定になるように設定される。本例では、基準照射条件は、基準管電流である。
【００４３】
ちなみに、被検体におけるＸ線の吸収度合は、幅及び体厚によって定まる被検体の断面積のみならず、その部位において、空気、骨等、何が存在しているかによって変化する。そこで、基準管電流は、幅及び体厚に加えて、これら以外の要素も反映されたＸ線の吸収度合を考慮して設定されている。
【００４４】
例えば、基準管電流は、図５に示すテーブルＴＡとして、記憶装置６３に記憶されている。テーブルＴＡは、被検体の部位（頭部、首、肩、肺、腹、腰、下肢）に応じた基準管電流ｍＡｂ１〜ｍＡｂ７を定めるテーブルである。ｍＡｂ１〜ｍＡｂ７は、同じ値となるものがあってもよい。図５に示すように、テーブルＴＡには、基準幅Ｗｂ１〜Ｗｂ７と基準体厚Ｄｂ１〜Ｄｂ７が含まれていてもよい。これら基準幅Ｗｂ１〜Ｗｂ７と基準体厚Ｄｂ１〜Ｄｂ７は、所要の基準幅及び所要の基準体厚の実施の形態の一例である。
【００４５】
照射条件設定部７６は、ステップＳ１において選択された撮影プロトコルに応じた部位におけるテーブルＴＡの情報を記憶装置６３から読み出す。この記憶装置６３から読み出されるテーブルＴＡの情報は、前記部位における基準管電流、基準幅及び基準体厚である。前記部位は、一つであっても複数であってもよい。
【００４６】
次に、ステップＳ３では、幅特定部７４が被検体５の幅Ｗを特定する。また、体厚特定部７５が、被検体５の体厚Ｄを特定する。幅特定部７４及び体厚特定部７５は、ステップＳ１において選択された撮影プロトコルに応じた部位における幅Ｗ及び体厚Ｄを特定する。
【００４７】
幅特定部７４は、カメラ３１によって取得される画像に基づいて、被検体５の幅Ｗを特定する。また、体厚特定部７５は、距離センサ３２と前記部位における被検体５との距離及び距離センサ３２と撮影テーブル４における被検体５の載置面との距離の差を、体厚Ｄとして特定する。
【００４８】
次に、ステップＳ４では、照射条件設定部７６は、幅特定部７４によって特定された幅Ｗ及び体厚特定部７５によって特定された体厚Ｄが、基準値の範囲内であるか否かを判定する。基準値の範囲は、標準的な体型と認められる範囲であり、記憶装置６３に記憶されている。標準的な体型であると認められる基準値の範囲は、基準管電流によってＸ線を照射した場合に、再構成画像のノイズレベルが、所要のノイズ指標値が表わすレベルになる範囲である。
【００４９】
ステップＳ４において、幅Ｗ及び体厚Ｄが基準値の範囲内ではないと判定された場合（ステップＳ４において「ＮＯ」）、ステップＳ５の処理へ移行する。一方、ステップＳ４において、幅Ｗ及び体厚Ｄが基準値の範囲内であると判定された場合（ステップＳ４において「ＹＥＳ」）、ステップＳ７の処理へ移行する。
【００５０】
ステップＳ５では、照射条件設定部７６は、基準照射条件を補正して、被検体５に対する撮影時におけるＸ線の照射条件を設定する。ここでは、ステップＳ２で読み出された基準管電流を補正して撮影時における管電流を設定する。撮影とは、後述のステップＳ７におけるスキャン、すなわちＸ線ＣＴ撮影を意味する。
【００５１】
具体的に基準管電流の補正について説明する。照射条件設定部７６は、被検体５の幅Ｗと基準幅Ｗｂとの差異及び被検体５の体厚Ｄと基準体厚Ｄｂの差異に応じて基準管電流を補正する。前記差異は、例えば比や差などである。基準幅は、テーブルＴＡにおける基準幅Ｗｂ１〜Ｗｂ７のうち、撮影プロトコルに応じた部位の基準幅である。また、基準体厚は、テーブルＴＡにおける基準体厚Ｄｂ１〜Ｄｂ７のうち、撮影プロトコルに応じた部位の基準体厚である。
【００５２】
照射条件設定部７６は、幅Ｗ及び体厚Ｄの少なくとも一方が大きくなるほど、撮影時における管電流が大きくなるように前記基準管電流を補正し、幅Ｗ及び体厚Ｄの少なくとも一方が小さくなるほど、撮影時における管電流が小さくなるように前記基準管電流を補正する。例えば、照射条件設定部７６は、下記（式１）によって基準管電流ｍＡｂを補正して撮影時における管電流ｍＡを算出する。
ｍＡ＝ｍＡｂ×Ｆ  ・・・（式１）
ただし、Ｆ＝（Ｗ／Ｗｂ）×（Ｄ／Ｄｂ）
【００５３】
上記（式１）により、再構成画像のノイズレベルが、所要のノイズ指標値が表すレベルになる管電流ｍＡが算出される。
【００５４】
複数の部位について管電流ｍＡを設定する場合、照射条件設定部７６は、複数の部位の各々について上記（式１）によって複数の部位の各々の基準管電流ｍＡｂを補正する。
【００５５】
次に、ステップＳ６では、表示制御部７７は、ステップＳ５において設定されたＸ線照射条件、すなわち管電流ｍＡを表示装置６２に表示させる。例えば、表示制御部７７は、図６に示すように、被検体５の体軸方向（ｚ軸方向）における管電流ｍＡの変化を示す線図Ｌを表示装置６２に表示させる。図６において、水平方向がｚ方向を示し上下方向が管電流ｍＡの大きさを示している。ここでは、線図Ｌは、被検体５の全身における管電流ｍＡの変化を示している。表示制御部７７は、線図Ｌとともに、被検体を示すイラストＩを表示装置６２に表示させてもよい。線図Ｌは、イラストＩとｚ軸方向における位置が対応した状態で表示される。
【００５６】
ステップＳ６において、撮影時における管電流ｍＡが表示された場合及びステップＳ４において、幅Ｗ及び体厚Ｄが基準値の範囲内であると判定された場合、ステップＳ７の処理へ移行する。このステップＳ７では、被検体５に対してＸ線によるスキャン、すなわちＸ線ＣＴ撮影が行われる。スキャンは、スキャン制御部７１がガントリ・テーブル制御部３０を制御することによって行われる。例えば、ステップＳ５において管電流ｍＡが設定された場合、この管電流ｍＡでスキャンが行われる。一方、ステップＳ４において、幅Ｗ及び体厚Ｄが基準値の範囲内であると判定された場合、基準管電流ｍＡｂでスキャンが行われる。
【００５７】
本例によれば、ステップＳ７において行なわれるスキャンとは別にスカウトスキャンを行なうことなく、被検体５の幅Ｗ及び体厚Ｄに応じて基準管電流ｍＡｂが補正され、撮影時における管電流ｍＡが設定される。基準管電流ｍＡｂは、被検体の幅や体厚の要素に加えて、これら以外の要素も反映したＸ線の吸収度合を考慮して設定されたものであるので、スカウトスキャンを行なわなくても、スカウトスキャンを行なった場合と同程度に適切な管電流ｍＡを設定することができる。そして、スカウトスキャンが不要になることにより、スループット（ｔｈｒｏｇｈ  ｐｕｔ）の向上と被曝低減を図ることができる。
【００５８】
この第一実施形態において、照射条件設定部７６は、被検体５の幅Ｗと基準幅Ｗｂとの差異又は被検体５の体厚Ｄと基準体厚Ｄｂとの差異のうち、いずれか一方に基づいて基準管電流を補正して撮影時における管電流ｍＡを設定してもよい。
【００５９】
（第二実施形態）
次に第二実施形態について説明する。この第二実施形態のＸ線ＣＴシステム１の構成は第一実施形態と同一であり、作用についても図４のフローチャートと基本的に同一である。ただし、以下の点で第一実施形態とは異なっている。
【００６０】
本例では、基準照射条件は、Ｘ線管２１のビュー角度ごとに記憶されている。例えば、複数の所要のビュー角度について、互いに異なる基準照射条件が記憶されている。ここでは、ビュー角度が０度と１８０度における第一の基準照射条件と、ビュー角度が９０度と２７０度における第二の基準照射条件とが記憶されている。第一の基準照射条件及び第二の基準照射条件は、基準管電流であり、互いに異なる基準管電流になっている。
【００６１】
ビュー角度が０度と１８０度における基準管電流を第一の基準管電流、ビュー角度が９０度と２７０度における基準管電流を第二の基準管電流とする。第一の基準管電流及び第二の基準管電流も、被検体の部位ごとに記憶されている。標準的な体型の被検体Ｐにおいて、図７に示すように、ビュー角度が０度と１８０度におけるＸ線の透過長である体厚Ｄの大きさは、ビュー角度が９０度と２７０度におけるＸ線の透過長である幅Ｗの大きさよりも小さい部位がある。この場合、第一の基準管電流は第二の基準管電流よりも小さい値に設定される。
【００６２】
ステップＳ５においては、照射条件設定部７６は、Ｘ線管２１のビュー角度に応じて、幅特定部７４によって特定された被検体の幅Ｗと基準幅Ｗｂとの差異又は体厚特定部７５によって特定された被検体の体厚Ｄと前記基準体厚Ｄｂとの差異のいずれか一方を用いて前記基準管電流の補正を行なう。具体的には、第一の基準管電流は、被検体の体厚Ｄと基準体厚Ｄｂとの差異に応じて補正される。また、第二の基準管電流は、被検体の幅Ｗと基準幅Ｗｂとの差異に応じて補正される。例えば、照射条件設定部７６は、下記（式２）に基づいて第一の基準管電流ｍＡｂｆを補正して撮影時における第一の管電流ｍＡｆを算出し、下記（式３）に基づいて第二の基準管電流ｍＡｂｓを補正して撮影時における第二の管電流ｍＡｓを算出する。
【００６３】
ｍＡｆ＝ｍＡｂｆ×Ｆ１  ・・・（式２）
ただし、Ｆ１＝Ｄ／Ｄｂ
【００６４】
ｍＡｓ＝ｍＡｂｓ×Ｆ２  ・・・（式３）
ただし、Ｆ２＝Ｗ／Ｗｂ
【００６５】
第一実施形態と同様に、第一の管電流ｍＡｆ及び第二の管電流ｍＡｓは、複数の部位について設定されてもよい。この場合、照射条件設定部７６は、複数の部位の各々について、上記（式２）及び（式３）によって第一の基準管電流ｍＡｂｆ及び第二の基準管電流ｍＡｂｓを補正する。
【００６６】
ステップＳ６では、表示制御部７７は、図８に示すように、被検体５の体軸方向における第一の管電流ｍＡｆの変化を示す第一の線図Ｌ１と、被検体５の体軸方向における第二の管電流ｍＡｓの変化を示す第二の線図Ｌ２とを表示装置６２に表示させる。また、表示制御部７７は、第一の線図Ｌ１及び第二の線図Ｌ２とともに、被検体を示す第一のイラストＩ１及び第二のイラストＩ２を表示装置６２に表示させてもよい。第一のイラストＩ１は、図６におけるイラストＩと同様に、体厚が分かるように被検体をｘ軸方向から見たイラストである。また、第二のイラストＩ２は、幅が分かるように被検体をｙ軸方向から見たイラストである。
【００６７】
以上説明した本例によれば、第一実施形態と同一の効果を得ることができるほか、ビュー角度に応じてより適切な管電流を設定してスキャンを行なうことができる。
【００６８】
以上、本発明を前記実施形態によって説明したが、本発明はその主旨を変更しない範囲で種々変更実施可能なことはもちろんである。例えば、カメラ３１及び距離センサ３２は、ガントリ２に設けられていなくてもよい。例えば、図９に示すように、カメラ３１及び距離センサ３２は、検査室Ｒの天井Ｃに取り付けられていてもよい。
【００６９】
また、基準照射条件は、被検体における所要の基準幅又は所要の基準体厚のうちのいずれか一方を想定して設定されていてもよい。この場合、照射条件設定部７６は、被検体５の幅Ｗと基準幅Ｗｂとの差異又は被検体５の体厚Ｄと基準体厚Ｄｂとの差異のうち、いずれか一方に基づいて基準照射条件を補正して撮影時における照射条件を設定する。
【００７０】
また、被検体５の幅Ｗ及び体厚Ｄを特定する手法は、カメラ３１の画像や赤外線センサ３２の検出信号に基づいて特定する手法に限られるものではない。
【符号の説明】
【００７１】
１  Ｘ線ＣＴシステム
５  被検体
２１  Ｘ線管
３１  カメラ
３２  距離センサ
６２  表示装置
６３  記憶装置
６４  演算処理装置
７６  照射条件設定部
【図１】
0006342437.tif 000002
【図２】
0006342437.tif 000003
【図３】
0006342437.tif 000004
【図４】
0006342437.tif 000005
【図５】
0006342437.tif 000006
【図６】
0006342437.tif 000007
【図７】
0006342437.tif 000008
【図８】
0006342437.tif 000009
【図９】
0006342437.tif 000010